(57)【要約】【課題】室内機および室外機が検出する異常猶予状態の情報をリモコンで取得可能な空気調和機システムを得ること。【解決手段】室外機１、室内機３およびリモコン５から構成され、前記室外機１と前記室内機３との間および前記室内機３と前記リモコン５との間で運転情報の通信を行う空気調和機システム１０であって、前記室外機１は、正常な状態から異常が発生するまでの状態を示す異常猶予状態を検出した場合、異常猶予状態検出情報を前記室内機３経由で前記リモコン５へ伝達し、前記室内機３は、異常猶予状態を検出した場合、異常猶予状態検出情報を前記リモコン５へ伝達し、前記リモコン５は、前記室外機１および前記室内機３から前記異常猶予状態検出情報を取得する。【選択図】図１
2013174385.tif 000002
【特許請求の範囲】
【請求項１】
室外機、室内機およびリモコンから構成され、前記室外機と前記室内機との間および前記室内機と前記リモコンとの間で運転情報の通信を行う空気調和機システムであって、
前記室外機は、正常な状態から異常が発生するまでの状態を示す異常猶予状態を検出した場合、異常猶予状態検出情報を前記室内機経由で前記リモコンへ伝達し、
前記室内機は、異常猶予状態を検出した場合、異常猶予状態検出情報を前記リモコンへ伝達し、
前記リモコンは、前記室外機および前記室内機から前記異常猶予状態検出情報を取得する、
ことを特徴とする空気調和機システム。
【請求項２】
前記リモコンは、
前記運転情報および前記異常猶予状態情報を表示する表示手段と、
前記表示手段に表示する情報として、前記運転情報または前記異常猶予状態情報に切り換える制御を行う表示切換手段と、
を備えることを特徴とする請求項１に記載の空気調和機システム。
【請求項３】
前記リモコンは、
前記室外機および前記室内機から取得した前記運転情報および前記異常猶予状態情報を記憶する情報記憶手段、
を備え、
前記表示切換手段は、前記表示手段に表示する情報として、前記情報記憶手段に記憶されている情報に切り換える制御を行う、
ことを特徴とする請求項２に記載の空気調和機システム。
【請求項４】
前記リモコンは、
前記表示切換手段および前記情報記憶手段が対象とする情報を設定する情報設定手段、
を備え、
前記表示切換手段は、前記情報設定手段により設定された情報について前記表示手段に表示する情報の切り替え制御を行い、
前記情報記憶手段は、前記情報設定手段により設定された情報を記憶する、
ことを特徴とする請求項３に記載の空気調和機システム。
【請求項５】
室外機、室内機およびリモコンから構成され、前記室外機と前記室内機との間および前記室内機と前記リモコンとの間で運転情報の通信を行う空気調和機システムにおける前記リモコンであって、
前記室外機が、正常な状態から異常が発生するまでの状態を示す異常猶予状態を検出した場合、異常猶予状態検出情報を前記室内機経由で前記リモコンへ伝達し、前記室内機が、異常猶予状態を検出した場合、異常猶予状態検出情報を前記リモコンへ伝達する場合、
前記室外機および前記室内機から前記異常猶予状態検出情報を取得する、
ことを特徴とするリモコン。
【請求項６】
前記運転情報および前記異常猶予状態情報を表示する表示手段と、
前記表示手段に表示する情報として、前記運転情報または前記異常猶予状態情報に切り換える制御を行う表示切換手段と、
を備えることを特徴とする請求項５に記載のリモコン。
【請求項７】
前記室外機および前記室内機から取得した前記運転情報および前記異常猶予状態情報を記憶する情報記憶手段、
を備え、
前記表示切換手段は、前記表示手段に表示する情報として、前記情報記憶手段に記憶されている情報に切り換える制御を行う、
ことを特徴とする請求項６に記載のリモコン。
【請求項８】
前記表示切換手段および前記情報記憶手段が対象とする情報を設定する情報設定手段、
を備え、
前記表示切換手段は、前記情報設定手段により設定された情報について前記表示手段に表示する情報の切り替え制御を行い、
前記情報記憶手段は、前記情報設定手段により設定された情報を記憶する、
ことを特徴とする請求項７に記載のリモコン。
【発明の詳細な説明】
【技術分野】
【０００１】
本発明は、空気調和機システムに関する。
【背景技術】
【０００２】
従来、空気調和機システムでは、室内機等からリモコンへ送信する情報として、検出した異常を伝達している。室内機等における異常を受信したリモコンでは、リモコンに備わる異常表示機能によって、受信した異常内容を表示する。このような技術が、下記特許文献１〜４において開示されている。
【先行技術文献】
【特許文献】
【０００３】
【特許文献１】特開平９−２４３１４９号公報
【特許文献２】特開２００８−２４９３１０号公報
【特許文献３】特開平７−３１８２０５号公報
【特許文献４】特開２００５−１２１３０２号公報
【発明の概要】
【発明が解決しようとする課題】
【０００４】
しかしながら、上記従来の技術によれば、室内機等は異常を検出してからその内容をリモコンへ送信し、リモコンにおいて異常表示を行う。そのため、異常を検出するまでの過程を確認することができない、という問題があった。
【０００５】
本発明は、上記に鑑みてなされたものであって、室内機および室外機が検出する異常猶予状態の情報をリモコンで取得可能な空気調和機システムを得ることを目的とする。
【課題を解決するための手段】
【０００６】
上述した課題を解決し、目的を達成するために、本発明は、室外機、室内機およびリモコンから構成され、前記室外機と前記室内機との間および前記室内機と前記リモコンとの間で運転情報の通信を行う空気調和機システムであって、前記室外機は、正常な状態から異常が発生するまでの状態を示す異常猶予状態を検出した場合、異常猶予状態検出情報を前記室内機経由で前記リモコンへ伝達し、前記室内機は、異常猶予状態を検出した場合、異常猶予状態検出情報を前記リモコンへ伝達し、前記リモコンは、前記室外機および前記室内機から前記異常猶予状態検出情報を取得する、ことを特徴とする。
【発明の効果】
【０００７】
本発明によれば、室内機および室外機が検出する異常猶予状態の情報をリモコンで取得できる、という効果を奏する。
【図面の簡単な説明】
【０００８】
【図１】図１は、実施の形態１の空気調和機システムの構成例を示す図である。
【図２】図２は、異常猶予を検出したときの伝達動作を示す図である。
【図３】図３は、実施の形態２の空気調和機システムの構成例を示す図である。
【図４】図４は、実施の形態３の空気調和機システムの構成例を示す図である。
【発明を実施するための形態】
【０００９】
以下に、本発明にかかる空気調和機システムの実施の形態を図面に基づいて詳細に説明する。なお、この実施の形態によりこの発明が限定されるものではない。
【００１０】
実施の形態１．
図１は、本実施の形態における空気調和機システムの構成例を示す図である。空気調和機システム１０は、室外機１と、通信線２と、室内機３と、通信線４と、リモコン５と、から構成される。室外機１と室内機３は、「室外機１−室内機３」の通信線２で接続され通信を行い、室内機３とリモコン５は、「室内機３−リモコン５」の通信線４で接続され通信を行っている。
【００１１】
つづいて、空気調和機システム１０内で、各機器が異常猶予を検出した場合の伝達動作について説明する。空気調和機システム１０では、従来の空気調和機システムと同様、室外機１は接続線２経由で室内機３と通信を行っており、室内機３は接続線４経由でリモコン５と通信を行っている。具体的に、室外機１と室内機３との間では、接続線２経由で、運転モード（例えば、冷房や暖房）や設定温度（例えば、２３℃、２４℃）といった運転状態の通信を行っている。室内機３とリモコン５との間でも、接続線４経由で同様の通信を行っている。
【００１２】
図２は、室外機１、室内機３が異常猶予を検出したときの空気調和機システム１０内の伝達動作を示す図である。室外機１および室内機３が検出する異常猶予とは、各機器が異常状態となるまでの猶予期間である。例えば、機器が正常に動作している状態を「通常状態」、異常状態までの猶予期間である状態を示す「異常猶予状態」、異常を検出した状態を「異常状態」とした場合、各機器では、一例として、「通常状態」⇒「異常猶予状態」⇒「異常状態」の流れで異常検出を行っている。各機器における異常猶予の検出方法としては、例えば、室外機１および室内機３に備えられたセンサ（サーミスタ等）において、設定温度に対して一定で推移していた数値（温度等）に変化を検出した場合などがあるが、これに限定するものではない。
【００１３】
室外機１において異常猶予を検出した場合（ステップＳ１１）、室外機１は、室外機１と室内機３との間の通信によって室内機３へ自機の異常猶予状態を伝達する（ステップＳ１２）。室外機１の異常猶予状態の情報を受信した室内機３は、室内機３とリモコン５との間の通信によってリモコン５へ室外機１の異常猶予状態を伝達する（ステップＳ１３）。
【００１４】
また、室内機３において異常猶予を検出した場合（ステップＳ１４）、室内機３は、室内機３とリモコン５との間の通信によってリモコン５へ自機の異常猶予状態を伝達する（ステップＳ１５）。このとき、室内機３は、室外機１から受信した運転状態の情報に自機の異常猶予状態を追加して伝達してもよい。
【００１５】
ここで、室外機１の異常猶予状態の伝達では「室外機１−室内機３」の通信線２および「室内機３−リモコン５」の通信線４を用いており、室内機３の異常猶予状態の伝達では「室内機３−リモコン５」の通信線４を用いている。すなわち、室外機１および室内機３では、異常猶予状態の伝達を、運転モードや設定温度といった通信情報に付加して、リモコン５へ伝達している。これは、異常を検出した場合も同様である。室内機１および室外機３では、異常を検出した場合、異常状態を運転モードや設定温度といった通信情報に付加して、リモコン５へ伝達することが可能である。
【００１６】
以上説明したように、本実施の形態によれば、室外機１および室内機３は、検出した異常猶予状態を通信情報に付加してリモコン５へ伝達することとした。これにより、リモコン５では、室外機１および室内機３で検出された異常猶予状態の情報を受信できるので、リモコン５が接続されている空気調和機システム１０の異常猶予状態の情報を取得することができる。そのため、ユーザーは、リモコン５を介して空気調和機システム１０の異常猶予状態を確認することができる。
【００１７】
また、室外機１および室内機３は異常状態と異常猶予状態とを区別して伝達しているため、リモコン５では、異常猶予状態と異常状態を区別して認識することができる。
【００１８】
実施の形態２．
本実施の形態では、リモコンの具体的な構成について説明する。実施の形態１と異なる部分について説明する。
【００１９】
図３は、本実施の形態の空気調和機システムの構成例を示す図である。空気調和機システム１０ａは、室外機１と、通信線２と、室内機３と、通信線４と、リモコン５ａと、から構成される。リモコン５ａは、表示切換部６と、表示部７と、情報記憶部８と、を備える。
【００２０】
表示切換部６は、表示部７に表示する情報を切り替える制御を行う。表示切換部６は、リモコン５ａが備える物理スイッチでもよいし、プログラムの設定で切り換える様に構成してもよい。
【００２１】
表示部７は、表示切換部６の切り換え制御によって、ユーザーに対して空気調和機システム１０ａにおける運転モードや異常猶予状態等の情報を表示する。
【００２２】
情報記憶部８は、室外機１および室内機３から取得した情報（例えば、運転モード、異常猶予情報など）を記憶する。情報記憶部８は、不揮発メモリで構成することで、リモコン５ａの電源がＯＦＦになった場合でも情報を保持しておくことが可能となる。
【００２３】
つづいて、空気調和機システム１０ａ内で、異常猶予を検出した場合のリモコン５ａにおける動作について説明する。なお、リモコン５ａが室外機１および室内機３から異常猶予状態等の情報を取得する方法は、実施の形態１と同様である。
【００２４】
リモコン５ａでは、表示切換部６を、例えば、「通常表示」、「異常猶予表示」といった２つの切換機能で構成する。表示切換部６は、設定が「通常表示」の場合、運転モード・設定温度といった情報を表示部７に表示し、設定が「異常猶予表示」の場合、室外機１および室内機３から受信した異常猶予情報の情報を表示部７に表示する。
【００２５】
また、情報記憶部８を活用した表示切換部６の動作例として、「通常表示」、「異常猶予表示」、「過去履歴」といった３つの機能を表示切換部６に設けることで、「通常表示」、「異常猶予表示」の他、情報記憶部８に記憶している情報を表示部７に表示する「過去履歴」機能をリモコン５ａに付加することが可能となる。リモコン５ａにおいて「過去履歴」を表示するため、表示切換部６または室内機３との通信を行う図示しない通信部が、情報記憶部８に記録する情報にタイムスタンプ（年／月／日）を付加する。これにより、表示切換部６では、過去履歴を表示する際に時系列順に取得した情報を表示することができる。
【００２６】
以上説明したように、本実施の形態によれば、リモコン５ａは、表示する内容を切り換え可能な表示切換部６と、運転モードや異常猶予状態等を表示する表示部７と、室外機１・室内機３から受信する異常猶予状態等の情報を記憶する情報記憶部８と、を備える構成とした。これにより、市場での定期メンテナンス時にリモコン５ａの表示を切り換えることで、室外機１および室内機３が正常に動作しているのか（異常または異常猶予となっていないか）を判断することができる。
【００２７】
また、市場にて空気調和機システム１０ａに発生した異常調査の際、従来では異常が発生して初めてシステムの確認・調査が可能であったが、異常発生前の状態（異常猶予状態）から確認することが可能となる。そのため、異常猶予状態を経た異常発生までの全ての流れを追うことが可能であり、異常要因解析の精度を向上させることができる。
【００２８】
また、リモコン５ａに記憶する情報にタイムスタンプを付加した場合、時系列を追うことができるため、慢性的に異常猶予状態を検出しているため定期的に異常となっているのか、突発的な要因のため異常猶予となり異常検出しているか、など異常解析を行う際の判断基準を追加することが可能となる。
【００２９】
実施の形態３．
本実施の形態では、リモコンが記憶する情報を切換可能とする。実施の形態２と異なる部分について説明する。
【００３０】
図４は、本実施の形態の空気調和機システムの構成例を示す図である。空気調和機システム１０ｂは、室外機１と、通信線２と、室内機３と、通信線４と、リモコン５ｂと、から構成される。リモコン５ｂは、表示切換部６と、表示部７と、情報記憶部８と、情報設定部９と、を備える。情報設定部９は、表示切換部６および情報記憶部８が対象とする情報の切り換え制御を行う。
【００３１】
情報設定部９の機能の一例として、「全データ記憶」「データ個別」と機能を選択できる構成とする。この機能の選択は、ユーザーが任意に行ってもよく、デフォルトとしてプログラムで決定させる方式としてもよい。情報設定部９では、この機能設定により、表示切換部６および情報記憶部８について以下の制御を行う。ここでは、制御の一例として、室内機３から取得する情報が「運転モード」「設定温度」「異常猶予」「異常有無」であり、情報設定部９が「全データ記憶」「データ個別」の２つの切り換え機能を有する場合を想定して説明する。
【００３２】
情報設定部９の設定が「全データ記憶」の場合、表示切換部６は、室外機１・室内機３から取得する情報の全データについて表示切り換えを行うことができる。例えば、室内機３から取得する情報の「運転モード」「設定温度」「異常猶予」「異常有無」全てを表示部７に表示にすることができる。また、情報記憶部８では、室外機１・室内機３から取得する全情報を記憶することができる。
【００３３】
つぎに、情報設定部９の設定が「データ個別」の場合、表示切換部６は、室外機１・室内機３から取得する情報を個別に表示切り換えを行うことができる。例えば、「データ個別」の内容を「運転モード」「異常猶予」に設定した場合、表示部７には「運転モード」「異常猶予」情報だけ表示することができる。また、情報記憶部８では、室外機１・室内機３から取得する情報のうち「運転モード」「異常猶予」の情報のみ記憶することができる。
【００３４】
なお、上記で説明した情報設定部９の設定および動作は一例であり、上記以外にもより詳細な設定として、データを記憶しない設定を行うことも可能である。また、設定する機能の内容によって、表示部７に表示する情報と情報記憶部８に記憶する情報を区別することも可能である。
【００３５】
以上説明したように、本実施の形態によれば、リモコン５ｂでは、情報設定部９において、表示部７に表示する情報の内容、および情報記憶部８に記憶する情報の内容を切り換え可能とする。情報記憶部８は不揮発メモリで構成されている場合、記憶可能なデータ量は記憶容量に依存することになり、無限のデータを記憶することは不可能である。そのため、情報設定部９によって、記憶するデータを選択して記憶することが可能となり、不要なデータを記憶しないことで従来よりも有益な情報を多く記憶することが可能となる。これにより、市場で発生した異常解析などで使用することができる有益なデータを多く記憶することができ、異常要因解析の精度を向上させることができる。
【００３６】
また、情報設定部９において記憶する情報を設定できるため、ユーザーのニーズにあった設定を行うことが可能であり、サービス性を向上させることが可能となる。
【産業上の利用可能性】
【００３７】
以上のように、本発明にかかる空気調和機システムは、室内の空気調和制御に有用であり、特に、リモコンを備えたシステムに適している。
【符号の説明】
【００３８】
１  室外機
２  通信線
３  室内機
４  通信線
５、５ａ、５ｂ  リモコン
６  表示切換部
７  表示部
８  情報記憶部
９  情報設定部
１０、１０ａ、１０ｂ  空気調和機システム
【図１】
2013174385.tif 000003
【図２】
2013174385.tif 000004
【図３】
2013174385.tif 000005
【図４】
2013174385.tif 000006